【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
情報処理装置であって、
第１の無線通信を用いて周囲のデバイスを検索する検索手段と、
前記検索手段でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信手段と、
前記受信手段で受信した接続情報に基づいて、前記選択されたデバイスとの前記第２の無線通信を用いた接続を確立する接続手段と、
前記検索手段でデバイスが見つからなかった場合、ユーザ所望のデバイスとの前記第２の無線通信を用いた接続を確立するための接続情報を含む２次元コードをカメラ機能を用いて読み取るための画面を表示するように制御する制御手段と
を備えることを特徴とする情報処理装置。
【請求項２】
前記検索手段でデバイスが見つからなかった場合、前記制御手段は、さらに、前記２次元コードを前記カメラ機能を用いて読み取ることを推奨するメッセージを表示することを特徴とする請求項１に記載の情報処理装置。
【請求項３】
前記検索手段でデバイスが見つからなかった場合、前記制御手段は、さらに、前記２次元コードを読み取るための前記カメラ機能を起動するように制御することを特徴とする請求項１又は２に記載の情報処理装置。
【請求項４】
前記制御手段は、前記検索手段でデバイスが見つからなかった場合、前記カメラ機能を使用可能か判定し、前記カメラ機能を使用可能と判定した場合に、前記２次元コードを前記カメラ機能を用いて読み取るための画面を表示するように制御することを特徴とする請求項１に記載の情報処理装置。
【請求項５】
前記制御手段は、前記検索手段でデバイスが見つからず、かつ、前記カメラ機能を使用可能でないと判定した場合に、エラーメッセージを表示することを特徴とする請求項４に記載の情報処理装置。
【請求項６】
情報処理装置であって、
第１の無線通信を用いて周囲のデバイスを検索する検索手段と、
前記検索手段でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信手段と、
前記受信手段で受信した接続情報に基づいて、前記選択されたデバイスとの前記第２の無線通信を用いた接続を確立する接続手段と、
前記検索手段でデバイスが見つからなかった場合、ユーザ所望のデバイスとの前記第２の無線通信を用いた接続を確立するための接続情報を含む２次元コードをカメラ機能を用いて読み取ることを推奨するメッセージを表示するように制御する制御手段と
を備えることを特徴とする情報処理装置。
【請求項７】
前記制御手段は、前記検索手段でデバイスが見つからなかった場合、前記カメラ機能を使用可能か判定し、前記カメラ機能を使用可能と判定した場合に、前記２次元コードを前記カメラ機能を用いて読み取ることを推奨するメッセージを表示するように制御することを特徴とする請求項６に記載の情報処理装置。
【請求項８】
前記第１の無線通信はＢＬＥによる無線通信であり、前記第２の無線通信は無線ＬＡＮによる無線通信である、ことを特徴とする請求項１乃至７のいずれか１項に記載の情報処理装置。
【請求項９】
前記２次元コードは、前記デバイスの操作部に表示される２次元コードである、ことを特徴とする請求項１乃至８のいずれか１項に記載の情報処理装置。
【請求項１０】
情報処理装置であって、
ＢＬＥの無線通信を用いて周囲のデバイスを検索する検索手段と、
前記検索手段でデバイスが見つかった場合、当該見つかったデバイスの中からユーザにより選択されたデバイスと無線ＬＡＮの無線通信を用いた接続を確立するための接続情報を、前記ＢＬＥの無線通信を用いて、当該選択されたデバイスから受信する受信手段と、
前記受信手段で受信した接続情報に基づいて、前記選択されたデバイスとの前記無線ＬＡＮの無線通信を用いた接続を確立する接続手段と、
前記検索手段でデバイスが見つからなかった場合、ユーザ所望のデバイスとの前記無線ＬＡＮの無線通信を用いた接続を確立するための接続情報をＮＦＣを介して取得することを推奨するメッセージを表示するように制御する制御手段と
を備えることを特徴とする情報処理装置。
【請求項１１】
前記接続情報は、ＳＳＩＤを含むことを特徴とする請求項１乃至１０のいずれか１項に記載の情報処理装置。
【請求項１２】
情報処理装置の制御方法であって、
検索手段が、第１の無線通信を用いて周囲のデバイスを検索する検索工程と、
受信手段が、前記検索工程でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信工程と、
接続手段が、前記受信工程で受信した接続情報に基づいて、前記選択されたデバイスとの前記第２の無線通信を用いた接続を確立する接続工程と、
制御手段が、前記検索工程でデバイスが見つからなかった場合、ユーザ所望のデバイスとの前記第２の無線通信を用いた接続を確立するための接続情報を含む２次元コードをカメラ機能を用いて読み取るための画面を表示するように制御する制御工程と
を含むことを特徴とする情報処理装置の制御方法。
【請求項１３】
情報処理装置の制御方法であって、
検索手段が、第１の無線通信を用いて周囲のデバイスを検索する検索工程と、
受信手段が、前記検索工程でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信工程と、
接続手段が、前記受信工程で受信した接続情報に基づいて、前記選択されたデバイスとの前記第２の無線通信を用いた接続を確立する接続工程と、
制御手段が前記検索工程でデバイスが見つからなかった場合、ユーザ所望のデバイスとの前記第２の無線通信を用いた接続を確立するための接続情報を含む２次元コードをカメラ機能を用いて読み取ることを推奨するメッセージを表示するように制御する制御工程と
を含むことを特徴とする情報処理装置の制御方法。
【請求項１４】
情報処理装置の制御方法における各工程をコンピュータに実行させるためのプログラムであって、前記制御方法は、
検索手段が、第１の無線通信を用いて周囲のデバイスを検索する検索工程と、
受信手段が、前記検索工程でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信工程と、
接続手段が、前記受信工程で受信した接続情報に基づいて、前記選択されたデバイスとの前記第２の無線通信を用いた接続を確立する接続工程と、
制御手段が、前記検索工程でデバイスが見つからなかった場合、ユーザ所望のデバイスとの前記第２の無線通信を用いた接続を確立するための接続情報を含む２次元コードをカメラ機能を用いて読み取るための画面を表示するように制御する制御工程とを含むことを特徴とするプログラム。
【請求項１５】
情報処理装置の制御方法における各工程をコンピュータに実行させるためのプログラムであって、前記制御方法は、
検索手段が、第１の無線通信を用いて周囲のデバイスを検索する検索工程と、
受信手段が、前記検索工程でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信工程と、
接続手段が、前記受信工程で受信した接続情報に基づいて、前記選択されたデバイスとの前記第２の無線通信を用いた接続を確立する接続工程と、
制御手段が前記検索工程でデバイスが見つからなかった場合、ユーザ所望のデバイスとの前記第２の無線通信を用いた接続を確立するための接続情報を含む２次元コードをカメラ機能を用いて読み取ることを推奨するメッセージを表示するように制御する制御工程と
を含むことを特徴とするプログラム。
【手続補正２】
【補正対象書類名】明細書
【補正対象項目名】０００９
【補正方法】変更
【補正の内容】
【０００９】
本発明は、情報処理装置であって、第１の無線通信を用いて周囲のデバイスを検索する検索手段と、前記検索手段でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信手段と、前記受信手段で受信した接続情報に基づいて、前記選択されたデバイスとの前記第２の無線通信を用いた接続を確立する接続手段と、前記検索手段でデバイスが見つからなかった場合、ユーザ所望のデバイスとの前記第２の無線通信を用いた接続を確立するための接続情報を含む２次元コードをカメラ機能を用いて読み取るための画面を表示するように制御する制御手段とを備えることを特徴とする。また、本発明は、情報処理装置であって、第１の無線通信を用いて周囲のデバイスを検索する検索手段と、前記検索手段でデバイスが見つかった場合、当該見つかったデバイスの中からユーザにより選択されたデバイスと前記情報処理装置との間で第２の無線通信を用いた接続を確立するための接続情報を、前記第１の無線通信を用いて、当該選択されたデバイスから受信する受信手段と、前記受信手段で受信した接続情報に基づいて、前記選択されたデバイスとの前記第２の無線通信を用いた接続を確立する接続手段と、前記検索手段でデバイスが見つからなかった場合、ユーザ所望のデバイスとの前記第２の無線通信を用いた接続を確立するための接続情報を含む２次元コードをカメラ機能を用いて読み取ることを推奨するメッセージを表示するように制御する制御手段とを備えることを特徴とする。